(57)【要約】　　　（修正有）【課題】不正規な詰め替え再使用を防止したレンズ付きフイルムユニットの製造方法を提供する。【解決手段】係合部２６に金属ワイヤ２９を配置し、係合部２７の金属ワイヤ２９の両端近傍で係合される部分に突起部２８を設けておく。そして、後カバーを本体基部、及び前カバーに対して爪係合により組み付け、フイルムロール室の底蓋部を閉じると、金属ワイヤ２９が係合部２６と係合部２７とで挟み込まれる。このとき、金属ワイヤ２９の両端は露出している。露出している金属ワイヤ２９の両端をインパルス溶着装置につなぎ、インパルス電流を流し、金属ワイヤ２９を挟み込んでいる係合部２６、２７を溶かし溶着結合させる。インパルス溶着後、樹脂により形成された突起部２８をインパルス電流、もしくは超音波により溶かし、露出された金属ワイヤ２９の両端を覆い埋める。【選択図】　　　　図３
2004126468.tif 000002
【特許請求の範囲】
【請求項１】
未露光の写真フイルムが収納されるフイルムロール室と、露光済みの写真フイルムを巻き取るパトローネが収納されるパトローネ室とが一体に形成された本体基部と、この本体基部の背面に組み付けられフイルムロール室からパトローネ室に至るフイルム通路を光密に覆う後カバーとを備えたレンズ付きフイルムユニットの製造方法において、
前記フイルムロール室、前記パトローネ室、前記フイルム通路の外周の内、前記パトローネ蓋の外周を除く全周、又は、この全周と係合する前記後カバーの係合部に金属ワイヤを配置し、前記金属ワイヤにインパルス電流を流すことにより、前記本体基部と前記後カバーとを溶着結合することを特徴とするレンズ付きフイルムユニットの製造方法。
【請求項２】
前記本体基部と前記後カバ−とを溶着結合した後、露出している前記金属ワイヤの両端部を樹脂で覆い埋めることを特徴とする請求項１記載のレンズ付きフイルムユニットの製造方法。
【請求項３】
インサート成形により前記金属ワイヤを前記全周付近に埋め込んだことを特徴とする請求項１または２記載のレンズ付きフイルムユニットの製造方法。
【発明の詳細な説明】
【０００１】
【発明の属する技術分野】
本発明は、不正規な詰め替え再使用を防止したレンズ付きフイルムユニットの製造方法に関するものである。
【０００２】
【従来の技術】
予め写真フイルムが装填され、簡単な撮影機構を備えたレンズ付きフイルムユニットが各種販売されている。使用済みのレンズ付きフイルムユニットは製造メーカーによって回収され、構成部品ごとにリユース又はリサイクルされている。リサイクルすることを前提として製造されているレンズ付きフイルムユニットは、ユーザーなどによる不正規な詰め替え再使用を防止するために、撮影機構が組み込まれた本体基部と、この本体基部の背面を覆う後カバーとを数カ所で超音波溶着することにより結合させている。このことにより、本体基部から後カバーを無理に取り外すと、本体基部と後カバーとが破損され、光密が保てなくなるようにしている（例えば、特許文献１参照）。
【０００３】
【特許文献１】
特開平７−１２０８８３号公報
【０００４】
【発明が解決しようとする課題】
しかしながら、上記のようなレンズ付きフイルムユニットにおいて、超音波溶着により結合されているのは数カ所であり、この溶着結合された部分を超音波カッター等で切断することにより、本体基部と後カバーとを破損なく分解し、不正規な詰め替え再使用が容易に行なわれている。このような詰め替え製品は、適正な検査や修理が行なわれずに販売されるため、信頼性に乏しいという問題がある。また、詰め替え製品に発生する問題は、レンズ付きフイルムユニットそのものに対する信頼性を傷つける恐れがある。
【０００５】
本発明は、上記のような問題点を解消するためになされたもので、本体基部と後カバーとの溶着結合を広範囲に行なうことにより、本体基部と後カバーとを破損なく分解することを難しくし、不正規な詰め替え再使用を防止したレンズ付きフイルムユニットの製造方法を提供することを目的とする。
【０００６】
【課題を解決するための手段】
上記目的を達成するために、本発明のレンズ付きフイルムユニットでは、フイルムロール室、パトローネ室、フイルム通路の外周の内、パトローネ蓋の外周を除く全周、又は、この全周と係合する後カバーの係合部に金属ワイヤを配置し、金属ワイヤにインパルス電流を流すことにより、本体基部と後カバーとを溶着結合している。そして、溶着結合後、露出している金属ワイヤの両端部を樹脂で覆っている。
【０００７】
【発明の実施の形態】
本発明を実施したレンズ付きフイルムユニットの構成を示す図１、図２において、レンズ付きフイルムユニット２は、予めパトローネが装填され各種撮影機構が組み込まれたユニット本体３と、このユニット本体３を部分的に覆うラベル４とから構成されている。
【０００８】
ユニット本体３の上面には、シャッタボタン６，残り撮影可能枚数を表示するカウンタ窓７が、前面にはファインダ８，撮影レンズ９等が設けられている。また、背面側からは１コマの撮影毎に回転操作される巻上げノブ１０が露呈されている。ラベル４は、ユニット本体３の中央部分に巻かれるように貼付されて、撮影レンズ９やファインダ８，カウンタ窓７等を外部に露呈させる開口が形成されている。また、ラベル４にはレンズ付きフイルムユニット２の使用方法や、特徴に関する説明が記されている。
【０００９】
ユニット本体３は、本体基部１５と、この本体基部１５の前面に組み付けられる露光ユニット１６と、本体基部１５の前面側及び背面側を覆うように組み付けられる前カバー１７及び後カバー１８とから構成されている。
【００１０】
本体基部１５の前面側中央部には、前面に組み付けられた露光ユニット１６から写真フイルム１２までの間の撮影光路を遮光する遮光筒２０が設けられている。この遮光筒２０の前面側には露光開口２０ａが形成されており、背面側には写真フイルム１２への露光範囲を規定するアパーチャーが形成されている。また、遮光筒２０を挟む両側には、パトローネ本体１３とロール状に巻かれた写真フイルム１２とが、それぞれ製造段階で収納されるパトローネ室２１とフイルムロール室２２とが一体に形成されている。
【００１１】
パトローネ室２１の上面には、パトローネ本体１３のスプールに係合する係合軸が一体に形成された巻上げノブ１０が回動自在に取り付けられている。
【００１２】
後カバー１８には、本体基部１５のアパーチャーに対面する位置に、写真フイルム１２の背面を支持するフイルム支持面１８ａ　が形成されている。このフイルム支持面１８ａ　の両側方に配置された内壁面は、パトローネ室２１とフイルムロール室２２との背面側壁面を構成するものであり、その下方にはパトローネ室２１の底蓋部２３と、フイルムロール室２２の底蓋部２４とが設けられている。底蓋部２３、２４は、屈曲自在な薄肉部を介して後カバー１８に連結されており、底蓋部２３は使用後のレンズ付きフイルムユニット２からパトローネ１４を取り出す際に開放される。
【００１３】
露光ユニット１６は、ブロック状のベース部材に、撮影レンズ９，シャッタ機構，フイルム巻止め機構，フイルムカウンタ機構，ファインダ光学系等が一体に組み込まれたものである。
【００１４】
パトローネ本体１３は、プラスチックにより形成されており、内部には写真フイルム１２が巻き付けられるスプールが回転自在に収納されている。写真フイルム１２が出入りするフイルム出入り口には、フイルム出入り口を開閉する棒状の遮光蓋が回動自在に組み込まれている。この構成からパトローネ本体１３のスプールの回転によって写真フイルム１２をフイルム出入り口から送り出すことができる。
【００１５】
次に、本発明をレンズ付きフイルムユニットの組み立て過程に従って説明する。本体基部１５に設けられている遮光筒２０の前面に露光ユニット１６が爪係合により組み付けられ、本体基部１５と露光ユニット１６との前面に前カバー１７が爪係合により組み付けられる。そして、パトローネ本体１３がパトローネ室２１に装填されるとともに、パトローネ本体１３から引き出されてロール状に巻かれた写真フイルム１２がフイルムロール室２２に装填される。
【００１６】
図３は、金属ワイヤの端部（便宜的に一端のみ）と、その周辺の本体基部と後カバーとの係合部とを示している。本体基部１５には、フイルムロール室２２、パトローネ室２１、フイルム通路の外周の内、パトローネ室２１の底蓋部２３の外周を除く全周に係合部２６が設けられており、後カバーには、係合部２７が設けられており、本体基部と後カバーとが爪係合により組付けられた際、係合部２６と係合部２７とが係合される。
【００１７】
図３（Ａ）のように係合部２６に金属ワイヤ２９を配置し、係合部２７の金属ワイヤ２９の両端近傍で係合される部分に突起部２８を設けている。そして、後カバー１８を本体基部１５、及び前カバー１７に対して爪係合により組み付け、フイルムロール室２２の底蓋部２４を閉じると、図３（Ｂ）のように金属ワイヤ２９が係合部２６と係合部２７とで挟み込まれる。このとき、金属ワイヤ２９の両端は露出している。なお、金属ワイヤ２９が振動等で動くことがないように接着・インサート成形などで固定しておいてもよい。
【００１８】
露出している金属ワイヤ２９の両端をインパルス溶着装置につなぎ、インパルス電流を流し、金属ワイヤ２９を挟み込んでいる係合部２６、２７を溶かし溶着結合させる。このインパルス溶着とは、低抵抗の導体に低電圧で高電流を短時間通電し、瞬間的に温度を高めて樹脂を溶かす溶着方法である。
【００１９】
また、溶着結合部としてパトローネ室２１の底蓋部２３の外周を除いたのは、使用後のレンズ付きフイルムユニットにおいて、パトローネ１４を取り出す際にパトローネ室２１の底蓋部２３を開放する必要があるからである。
【００２０】
インパルス溶着後、図３（Ｃ）のように、樹脂により形成された突起部２８をインパルス電流、もしくは超音波により溶かし、露出された金属ワイヤ２９の両端を覆い埋める。このことにより、露出された金属ワイヤにインパルス電流を流し、溶着結合部を再度溶かすことによる本体基部と後カバーとの分解を防いでいる。ここで、ユニット本体３の組み立ては終了となり、このユニット本体３を部分的に覆うラベル４を貼り、レンズ付きフイルムユニット２が完成される。
【００２１】
使用済みとなったレンズ付きフイルムユニット２は、構成部品ごとにリユースまたはリサイクルされるので、本発明におけるインパルス溶着に用いた金属ワイヤ２９は、リサイクル工程で不純物となってしまう。しかし、リサイクル工程において、金属ワイヤ２９の両端部の樹脂を溶解後、金属ワイヤ２９に再度インパルス電流をかけながら、金属ワイヤ２９を引き出し分離することができる。
【００２２】
このように、リサイクル工程において、金属ワイヤの分離が容易であることから、本発明は、本体基部と前カバーとの爪係合や、後カバーと前カバーとの爪係合に換えて実施しても良い。
【００２３】
また、上記例では、最低限の撮影機能のみを有したレンズ付きフイルムユニットで説明したが、ストロボ機能等を有していてもよい。また、上記例では、写真フイルムとしてＩＸ２４０型のカートリッジで説明したが、これ以外でもよく、例えば１３５型のカートリッジを使用してもよい。
【００２４】
【発明の効果】
以上説明したように本発明は、溶着による結合部が広範囲であるので、本体基部と後カバーとを破損なく分解することが難しく、不正規な詰め替え再使用を容易に行うことができない。また、溶着結合後、露出された金属ワイヤの両端部を樹脂で覆うことにより、露出された金属ワイヤにインパルス電流を流し、溶着結合部を再度溶かすことによる本体基部と後カバーとの分解を防ぐことができる。
【図面の簡単な説明】
【図１】本発明を実施したレンズ付きフイルムユニットの前面側を示す外観斜視図である。
【図２】本発明を実施したレンズ付きフイルムユニットの分解斜視図である。
【図３】金属ワイヤの端部と、その周辺の本体基部と後カバーとの係合部とを示す斜視図であり、図３（Ａ）は本体基部と後カバーとが係合前の様子を、図３（Ｂ）は本体基部と前カバーとが係合された様子を、図３（Ｃ）は金属ワイヤが樹脂により覆い埋められた様子を示している。
【符号の説明】
２　レンズ付きフイルムユニット
１２　写真フイルム
１４　パトローネ
１５　本体基部
１８　後カバー
１８ａフイルム支持面
２１　パトローネ室
２２　フイルムロール室
２３　底蓋部
２６、２７　係合部
２８　突起部
２９　金属ワイヤ
【図１】
2004126468.tif 000003
【図２】
2004126468.tif 000004
【図３】
2004126468.tif 000005